(57)【特許請求の範囲】
【請求項１】
第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおけるカバレッジ制御方法であって、
前記第１のセルおよび前記第２のセルにおける前記移動局の分布を推定する移動局分布推定ステップと、
前記移動局の通信状態を測定する移動局通信状態測定ステップと、
前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、
前記第１の周波数の送信ビームの指向性を制御して、前記移動局群特定ステップにおいて特定した前記移動局群に対する前記第１のセルのカバレッジを制御するカバレッジ制御ステップと
を有し、
前記移動局群特定ステップは、
前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定することを含むことを特徴とするカバレッジ制御方法。
【請求項２】
前記移動局分布推定ステップにおいて前記移動局の分布を推定するために、
各前記移動局が送信する上り回線参照信号を受信し、受信した前記上り回線参照信号の到来角を測定することによって、各前記移動局が位置する角度分布を推定する、
または、各前記移動局が下り回線参照信号の到来角度毎の受信品質を測定して、測定した前記受信品質に関する情報を、プリコーディングウェイト情報（ＰＭＩ：Precoding  Matrix  Indicator）として各前記移動局から報告することによって、各前記移動局が位置する角度分布を推定する
ことを特徴とする請求項１に記載のカバレッジ制御方法。
【請求項３】
移動局通信状態測定ステップにおいて前記移動局の前記通信状態を測定するために、
前記移動局が前記第２のセルと接続中の状態であるか否かを測定する、
または、前記移動局が前記第２のセルと接続中の状態であり、かつ、前記移動局宛ての送信バッファサイズがあらかじめ定めたサイズ閾値以上となる状態であるか否かを測定する、
または、前記移動局が前記第２のセルと接続中の状態であり、かつ、受信品質があらかじめ定めた品質閾値以下の状態に低下しているか否かを測定する、
または、前記移動局が前記第２のセルと接続中の状態であり、かつ、優先度を示すＱＣＩ（ＱｏＳ  Class  Identifier)があらかじめ定めた優先度レベルよりも高い送信バッファに蓄積される送信データ量が、あらかじめ定めた所定量以上に達している状態であるか否かを測定する、
または、前記移動局が前記第２のセルと接続中の状態であり、かつ、前記移動局が屋外に位置する状態であるか否かを測定する
のいずれかを実施することを特徴とする請求項１または２に記載のカバレッジ制御方法。
【請求項４】
前記カバレッジ制御ステップにおいて前記第１の周波数の送信ビームの指向性を制御するために、
前記移動局群特定ステップにおいて特定した前記移動局群の分布領域を代表する代表角に向かうように、前記第１のセルのキャリアの送信ビームの指向性を制御する
ことを特徴とする請求項１ないし３のいずれかに記載のカバレッジ制御方法。
【請求項５】
前記カバレッジ制御ステップとして、
前記第１のセルと前記第２のセルとのそれぞれのセル負荷を測定するセル負荷測定ステップをさらに有し、
前記カバレッジ制御ステップは、前記セル負荷測定ステップにおける前記セル負荷の測定結果として、前記第１のセルのセル負荷が、前記第２のセルのセル負荷に比してあらかじめ定めた差分閾値よりも小さいと判定したときに、前記第１の周波数の送信ビームの指向性を制御して、前記移動局群特定ステップにおいて特定した前記移動局群に対する前記第１のセルのカバレッジを制御する動作を行う
ことを特徴とする請求項１ないし４のいずれかに記載のカバレッジ制御方法。
【請求項６】
第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて前記第１の周波数または前記第２の周波数の送信ビームの指向性を制御する指向性制御方法であって、
前記第１のセルおよび前記第２のセルにおける前記移動局の分布を推定する移動局分布推定ステップと、
前記移動局の通信状態を測定する移動局通信状態測定ステップと、
前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、
前記移動局群特定ステップにおいて特定した前記移動局群に対する前記第１の周波数の送信ビームの指向性を制御する指向性制御ステップと
を有し、
前記移動局群特定ステップは、
前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定することを含むことを特徴とする指向性制御方法。
【請求項７】
第１の周波数をキャリアとして用いる少なくとも１つの第１のセルと、前記第１の周波数よりも低周波数帯の第２の周波数をキャリアとして用いる少なくとも１つの第２のセルと、前記第１のセルと前記第２のセルとの少なくとも一方のセルによって通信する移動局とを含む無線通信システムにおける基地局装置であって、
前記第１のセルおよび前記第２のセルにおける前記移動局の分布を推定する移動局分布推定手段と、
前記移動局との通信状態を測定する移動局通信状態測定手段と、
前記移動局分布推定手段において推定した前記移動局の分布と前記移動局通信状態測定手段において測定した前記移動局との通信状態とに基づいて、前記第２のセルに分布する前記移動局を含む１台以上の前記移動局から構成される移動局群を特定する移動局群特定手段と、
前記第１の周波数の送信ビームの指向性を制御して、前記移動局群特定手段において特定した前記移動局群に対する前記第１のセルのカバレッジを制御するカバレッジ制御手段と
を有し、
前記移動局群特定手段は、
前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定することを特徴とする基地局装置。
【請求項８】
第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムであって、
前記第１のセルおよび前記第２のセルにおける前記移動局の分布を推定する移動局分布推定手段と、
前記移動局と前記基地局装置との通信状態を測定する移動局通信状態測定手段と、
前記移動局分布推定手段において推定した前記移動局の分布と前記移動局通信状態測定手段において測定した前記移動局と前記基地局装置との通信状態とに基づいて、前記第２のセルに分布する前記移動局を含む１台以上の前記移動局から構成される移動局群を特定する移動局群特定手段と、
前記第１の周波数の送信ビームの指向性を制御して、前記移動局群特定手段において特定した前記移動局群に対する前記第１のセルのカバレッジを制御するカバレッジ制御手段と
を有し、
前記移動局群特定手段は、
前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定することを特徴とする無線通信システム。
【請求項９】
第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて、前記基地局装置に実装されたコンピュータの制御プログラムとして実行される基地局制御プログラムであって、
前記第１のセルおよび前記第２のセルにおける前記移動局の分布を推定する移動局分布推定処理と、
前記移動局と前記基地局装置との通信状態を測定する移動局通信状態測定処理と、
前記移動局分布推定処理において推定した前記移動局の分布と前記移動局通信状態測定処理において測定した前記移動局と前記基地局装置との通信状態とに基づいて、前記第２のセルに分布する前記移動局を含む１台以上の前記移動局から構成される移動局群を特定する移動局群特定処理と、
前記第１の周波数の送信ビームの指向性を制御して、前記移動局群特定処理において特定した前記移動局群に対する前記第１のセルのカバレッジを制御するカバレッジ制御処理と
を有し、
前記移動局群特定処理は、
前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定することを含むことを特徴とする基地局制御プログラム。
【発明の詳細な説明】
【技術分野】
【０００１】
本発明は、カバレッジ制御方法、指向性制御方法、基地局装置、無線通信システムおよび基地局制御プログラムを格納する非一時的なコンピュータ可読媒体に関し、特に、送信ビームの指向性の制御によるマルチキャリア負荷分散方式として、複数の周波数帯に対応する基地局装置において、送信ビームの指向性を制御するカバレッジ制御方法、指向性制御方法、基地局装置、無線通信システムおよび基地局制御プログラムを格納する非一時的なコンピュータ可読媒体に関する。
【背景技術】
【０００２】
近年、スマートフォンやタブレット端末の普及や、動画等の多量のデータの送受信により、モバイル通信のデータトラヒックが著しく増加している。トラヒック増大への対策の一つとして、高送信電力で広い範囲をカバーする基地局（以下「マクロ基地局」と称する）に加えて、低送信電力で狭い範囲をカバーする小型基地局（以下「スモールセル基地局」と称する）を局所的に多数設置し、通信容量を増大させる基地局設置方式が有力視されている。ここで、スモールセル基地局には、ユーザが密集するホットスポットに設置されるピコ基地局や、無線品質が劣悪な屋内に設置されるフェムトセル基地局等がある。なお、基地局の通信エリアはセルと呼ばれる。【０００３】
スモールセル基地局を設置する際には、場所や法律などの制限により、ホットスポットが発生するような適切な場所に設置することや、所望の局数になるまで多数設置することが困難な場合がある。このような制限がある中で、通信容量を高めるためには、スモールセル基地局は、周波数帯域が異なる複数の周波数を備え、少ないスモールセル基地局数で複数のセルを形成する方式が有力である。複数の周波数を備えることによって、周波数が比較的低い帯域（例えば２ＧＨｚ以下の帯域）で広い通信エリアを確保し、周波数が比較的高い帯域（例えば３．５ＧＨｚ以上の帯域）で特定エリアの通信容量を飛躍的に高めることができる。また、複数のセル間でトラヒック負荷を分散させることができる。【０００４】
一方、スモールセル基地局が、複数の周波数帯域を備えている（複数セルを構成している）場合には、周波数毎に、所定の通信品質を満たすセルの境界線であるカバレッジを調整することができる。複数周波数を備える基地局において実施されるカバレッジ調整方法の一例として、特許文献１の特表２０１１−５２３２７２号公報「マルチキャリア通信システムにおける動的なカバレージ調整」に記載された技術が提案されている。【０００５】
該特許文献１においては、複数の周波数（キャリア）を備える（例えば、第１と第２とのキャリアを含む）マルチキャリア通信システムにおいて、干渉を軽減し、パフォーマンスを向上させるために、セルの負荷（通信中のアクティブ端末数）に基づいて、各キャリアの送信電力を調整することによって、カバレッジを調整している。具体的には、第２のセルの負荷が低い場合には、第２のキャリアの送信電力レベルを、‘０’に、または、第１のキャリアの送信電力未満の低レベルに低減することによって、第１のセルへの干渉を軽減している。なお、第２のキャリアは、第１のキャリアが有する第１のカバレッジと等しいか、または、それよりも小さい第２のカバレッジを有している。【０００６】
また、各セルにおけるカバレッジの調整方法の例として、特許文献２の特表２００５−５２５０４１号公報「時分割複信方式システムにおけるアンテナ適応」に記載された技術が提案されている。該特許文献２においては、送信ビームの現在の指向性における品質評価指標の測定値（与干渉電力）と、順次変化させる試験的指向性における品質評価指標の測定値とを比較することにより、送信ビームの最良の指向方向を動的に決定している。加えて、隣接基地局の負荷状況を監視し、負荷を考慮することによって、隣接基地局への実効的な干渉を最小にするように指向方向を決定している。
【先行技術文献】
【特許文献】
【０００７】
【特許文献１】特表２０１１−５２３２７２号公報（第７−８頁）
【特許文献２】特表２００５−５２５０４１号公報（第７−１２頁）
【発明の概要】
【発明が解決しようとする課題】
【０００８】
前述のように、スモールセル基地局が、周波数が異なる複数のセルを備える場合、セル毎にカバレッジが異なることに加えて、スモールセル基地局に接続される移動局によるトラヒック負荷が時間的に変動することに伴って、トラヒック負荷が特定セルに偏ってしまうことがある。例えば、カバレッジの違いにより特定の１周波数（例えば２ＧＨｚ）しか選択することができない場所にいる移動局が、多くのトラヒックを発生させる場合である。かかる場合には、当該周波数のセルにおけるトラヒック負荷が高くなってしまい、当該１周波数しか選択することができない場所にいる移動局は、複数周波数を選択することが不可能であるので、負荷を分散することができる場所にいる移動局に比べてスループットが低下してしまう。【０００９】
しかし、前記特許文献１に記載の技術においては、セル単位で負荷を測定するため、１周波数しか選択することができない移動局を特定することができず、また、カバレッジ調整に用いる送信電力制御に関しても、対象とする移動局以外に対しても干渉などの影響を及ぼしてしまうため、前述のようなスループット低下の課題を解決することができない。また、前記特許文献２に記載の技術においては、送信ビームの指向性制御により、対象とする移動局をカバーすることができるものの、試験的な指向性の調整を繰り返すので、当該移動局の負荷の時間変動に追従することができず、やはり、前述のようなスループット低下の課題を解決することができない。【００１０】
（本発明の目的）
本発明は、前述した知見に基づいてなされたものであって、本発明の目的は、１周波数しか選択することができない移動局のスループットを改善することが可能なカバレッジ制御方法、指向性制御方法、基地局装置、無線通信システムおよび基地局制御プログラムを提供することにある。
【課題を解決するための手段】
【００１１】
前述の課題を解決するため、本発明によるカバレッジ制御方法、指向性制御方法、基地局装置、無線通信システムおよび基地局制御プログラムは、主に、次のような特徴的な構成を採用している。【００１２】
（１）本発明によるカバレッジ制御方法は、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおけるカバレッジ制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記第１の周波数の送信ビームの指向性を制御して、前記移動局群特定ステップにおいて特定した前記移動局群に対する前記第１のセルのカバレッジを制御するカバレッジ制御ステップと、を有することを特徴とする。【００１３】
（２）本発明による指向性制御方法は、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて前記第１の周波数または前記第２の周波数の送信ビームの指向性を制御する指向性制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記移動局群特定ステップにおいて特定した前記移動局群に対する前記第１の周波数の送信ビームの指向性を制御する指向性制御ステップと、を有することを特徴とする。【００１４】
（３）本発明による基地局装置は、第１の周波数をキャリアとして用いる少なくとも１つの第１のセルと、前記第１の周波数よりも低周波数帯の第２の周波数をキャリアとして用いる少なくとも１つの第２のセルと、前記第１のセルと前記第２のセルとの少なくとも一方のセルによって通信する移動局とを含む無線通信システムにおける基地局装置であって、前記第１のセルおよび前記第２のセルにおける前記移動局の分布を推定する移動局分布推定手段と、前記移動局との通信状態を測定する移動局通信状態測定手段と、前記移動局分布推定手段において推定した前記移動局の分布と前記移動局通信状態測定手段において測定した前記移動局との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有することを特徴とする。【００１５】
（４）本発明による無線通信システムは、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムであって、前記第１のセルおよび前記第２のセルにおける前記移動局の分布を推定する移動局分布推定手段と、前記移動局と前記基地局装置との通信状態を測定する移動局通信状態測定手段と、前記移動局分布推定手段において推定した前記移動局の分布と前記移動局通信状態測定手段において測定した前記移動局と前記基地局装置との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有することを特徴とする。【００１６】
（５）本発明による基地局制御プログラムは、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて、前記基地局装置に実装されたコンピュータの制御プログラムとして実行される基地局制御プログラムであって、前記第１のセルおよび前記第２のセルにおける前記移動局の分布を推定する移動局分布推定処理と、前記移動局と前記基地局装置との通信状態を測定する移動局通信状態測定処理と、前記移動局分布推定処理において推定した前記移動局の分布と前記移動局通信状態測定処理において測定した前記移動局と前記基地局装置との通信状態とに基づいて、前記第２のセルに分布する前記移動局を含む１台以上の前記移動局から構成される移動局群を特定する移動局群特定処理と、前記第１の周波数の送信ビームの指向性を制御して、前記移動局群特定処理において特定した前記移動局群に対する前記第１のセルのカバレッジを制御するカバレッジ制御処理と、を有することを特徴とする。
【発明の効果】
【００１７】
本発明のカバレッジ制御方法、指向性制御方法、基地局装置、無線通信システムおよび基地局制御プログラムによれば、以下のような効果を奏することができる。【００１８】
すなわち、異なる周波数をキャリアとして用いる少なくとも２つのセルが存在する無線通信環境において、いずれか一方のセルの周波数しか選択することができないエリアに存在する移動局であっても、当該移動局のスループットを改善することができる。その理由は、当該移動局を特定して、他方のセルの周波数の送信ビームの指向性を当該移動局に向けるように制御することによって、他方の周波数をキャリアとして用いるセルに当該移動局の負荷を分散させることを可能にしているためである。
【図面の簡単な説明】
【００１９】
【図１】本発明の第１の実施の形態に係るスモールセル基地局、移動局を含む無線通信システムのシステム構成の一例を示すシステム構成図である。
【図２】本発明の第１の実施の形態に係るスモールセル基地局および移動局の内部構成の一例を示すブロック図である。
【図３】本発明の第１の実施の形態に係るカバレッジ制御方法の一例を実現するためのスモールセル基地局における動作手順を示すフローチャートである。
【図４Ａ】本発明の第１の実施の形態に係るスモールセル基地局におけるカバレッジ制御の実施手順のステップＳ１０１の動作の一例を説明するための説明図である。
【図４Ｂ】本発明の第１の実施の形態に係るスモールセル基地局におけるカバレッジ制御の実施手順のステップＳ１０３の動作の一例を説明するための説明図である。
【図４Ｃ】本発明の第１の実施の形態に係るスモールセル基地局におけるカバレッジ制御の実施手順のステップＳ１０５の動作の一例を説明するための説明図である。
【図５】本発明の第２の実施の形態に係るカバレッジ制御方法の一例を実現するためのスモールセル基地局における動作手順を示すフローチャートである。
【図６】本発明の第３の実施の形態に係るスモールセル基地局および移動局の内部構成の一例を示すブロック図である。
【図７】本発明の第３の実施の形態に係るカバレッジ制御方法の一例を実現するためのスモールセル基地局における動作手順を示すフローチャートである。
【図８】本発明の第４の実施の形態に係るスモールセル基地局および移動局の内部構成の一例を示すブロック図である。
【図９】本発明の第４の実施の形態に係るカバレッジ制御方法の一例を実現するためのスモールセル基地局における動作手順を示すフローチャートである。
【発明を実施するための形態】
【００２０】
以下、本発明によるカバレッジ制御方法、指向性制御方法、基地局装置、無線通信システムおよび基地局制御プログラムの好適な実施の形態について添付図を参照して説明する。なお、以下の説明においては、本発明によるカバレッジ制御方法、指向性制御方法、基地局装置および無線通信システムについて説明するが、かかるカバレッジ制御方法や指向性制御方法を基地局装置内のコンピュータにより実行可能な基地局制御プログラムとして実施するようにしても良いし、あるいは、基地局制御プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。なお、以下の各図面において、同一要素には同一の図面参照符号が付されており、説明の明確化のために必要な場合を除いて、同一要素に関する重複した説明を省略している。
【００２１】
（本発明の特徴）
本発明の実施の形態の説明に先立って、本発明の特徴についてその概要をまず説明する。本発明は、１周波数しか選択することができないユーザ（移動局）のスループットを改善することを可能にすることを主要な特徴としており、具体的には、主に、次のような５つの態様からなっている。
【００２２】
本発明の第１の態様は、カバレッジ制御方法である。本発明に係るカバレッジ制御方法は、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおけるカバレッジ制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記第１の周波数の送信ビームの指向性を制御して、前記移動局群特定ステップにおいて特定した前記移動局群に対する前記第１のセルのカバレッジを制御するカバレッジ制御ステップと、を有することを主要な特徴としている。
【００２３】
本発明の第２の態様は、指向性制御方法である。本発明に係る指向性制御方法は、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて前記第１の周波数または前記第２の周波数の送信ビームの指向性を制御する指向性制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記移動局群特定ステップにおいて特定した前記移動局群に対する前記第１の周波数の送信ビームの指向性を制御する指向性制御ステップと、を有すことを主要な特徴としている。
【００２４】
本発明の第３の態様は、基地局装置である。本発明に係る基地局装置は、第１の周波数をキャリアとして用いる少なくとも１つの第１のセルと、前記第１の周波数よりも低周波数帯の第２の周波数をキャリアとして用いる少なくとも１つの第２のセルと、前記第１のセルと前記第２のセルとの少なくとも一方のセルによって通信する移動局とを含む無線通信システムにおける基地局装置であって、前記第１のセルおよび前記第２のセルにおける前記移動局の分布を推定する移動局分布推定手段と、前記移動局との通信状態を測定する移動局通信状態測定手段と、前記移動局分布推定手段において推定した前記移動局の分布と前記移動局通信状態測定手段において測定した前記移動局との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有することを主要な特徴としている。
【００２５】
本発明の第４の態様は、無線通信システムである。本発明に係る無線通信システムは、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムであって、前記第１のセルおよび前記第２のセルにおける前記移動局の分布を推定する移動局分布推定手段と、前記移動局と前記基地局装置との通信状態を測定する移動局通信状態測定手段と、前記移動局分布推定手段において推定した前記移動局の分布と前記移動局通信状態測定手段において測定した前記移動局と前記基地局装置との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有することを主要な特徴としている。
【００２６】
本発明の第５の態様は、基地局制御プログラムである。本発明に係る基地局制御プログラムは、第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて、前記基地局装置に実装されたコンピュータの制御プログラムとして実行される基地局制御プログラムであって、前記第１のセルおよび前記第２のセルにおける前記移動局の分布を推定する移動局分布推定処理と、前記移動局と前記基地局装置との通信状態を測定する移動局通信状態測定処理と、前記移動局分布推定処理において推定した前記移動局の分布と前記移動局通信状態測定処理において測定した前記移動局と前記基地局装置との通信状態とに基づいて、前記第２のセルに分布する前記移動局を含む１台以上の前記移動局から構成される移動局群を特定する移動局群特定処理と、前記第１の周波数の送信ビームの指向性を制御して、前記移動局群特定処理において特定した前記移動局群に対する前記第１のセルのカバレッジを制御するカバレッジ制御処理とを有することを主要な特徴としている。
【００２７】
＜本発明の第１の実施の形態＞
次に、本発明を適用したカバレッジ制御方法の第１の実施の形態について、図面を参照しながら詳細に説明する。本第１の実施の形態に係る無線通信システムにおけるカバレッジ制御方法においては、少なくとも周波数が異なる２つのセルが存在する無線通信環境において、１周波数しか選択することができない移動局群を特定し、特定した該移動局群に向けて他方の周波数の送信ビームの指向性を制御する場合について説明している。
【００２８】
（第１の実施の形態の構成例の説明）
図１は、本発明の第１の実施の形態に係るスモールセル基地局、移動局を含む無線通信システムのシステム構成の一例を示すシステム構成図である。本第１の実施の形態における以下の説明においては、無線通信システムにＬＴＥ（Long  Term  Evolution）方式を適用し、上り回線と下り回線とで、同一周波数で送信時間が異なるＴＤＤ(Time  Division  Duplex)方式を適用した場合について説明する。
【００２９】
本第１の実施の形態に係る無線通信システムは、図１に示すように、複数周波数の周波数毎に複数の送受信アンテナを備えるマルチキャリア対応のスモールセル基地局１と、該スモールセル基地局１と通信する移動局２とを少なくとも含んで構成される。さらに、スモールセル基地局１は、複数のセル３を備え、相対的に、高周波数、広帯域（例えば、４０ＭＨｚ）の３.５ＧＨｚキャリア（第１の周波数のキャリア）を用いるセル３−１（第１のセル）と、相対的に、低周波数、狭帯域（例えば、２０ＭＨｚ）の２ＧＨｚキャリア（第２の周波数のキャリア）を用いるセル３−２（第２のセル）とを少なくとも備えている。図１においては、３.５ＧＨｚキャリアで通信する移動局２−１、２ＧＨｚキャリアで通信する移動局２−２が、それぞれ、セル３−１、セル３−２に位置している。本第１の実施の形態においては、移動局２は、いずれかの一方のキャリアのセル３のみによって通信することができる。図１においては、移動局２−１、移動局２−２のぞれぞれは、セル３−１、セル３−２それぞれを介してスモールセル基地局１と通信中（アクティブ）の状態にある。
【００３０】
一般的に、高周波数ほど電波の直進性が高く、回り込みをしないので、高周波数側の３．５ＧＨｚキャリアのセル３−１の方が、低周波数側の２ＧＨｚキャリアのセル３−２よりもカバレッジが狭い場合が多い。また、高周波数ほど周波数リソースを広帯域に確保し易いので、スループットは、高周波数側の３．５ＧＨｚを用いて通信を行う移動局２−１の方が、低周波数側の２ＧＨｚを用いて通信を行う移動局２−２よりも高くなることが多い。なお、本第１の実施の形態においては、前述のように、図１に示すセル３−１とセル３−２との間で、複数の周波数帯域を同時に用いて通信するキャリアアグリゲーション（ＣＡ：Carrier  Aggregation）は適用しないことを前提にして説明している。
【００３１】
図１のさらなる補足をすると、次の通りである。図１に白抜きの移動局として示すように、５台の移動局２−２が位置する場所においては、２ＧＨｚキャリアしか選択することができないので、白抜きの５台の移動局２−２は、２ＧＨｚキャリアのセル３−２に収容されることになる。また、図１に斜線付きの移動局として示す１台の移動局２−１が位置する場所においては、３.５ＧＨｚキャリアと２ＧＨｚキャリアとの両方を選択することができるが、３.５ＧＨｚキャリアの受信電力（ＲＳＲＰ：Reference  Signal  Received  Power）があらかじめ定めた所定値以上となっているので、当該１台の移動局２−１は、セル３−１に収容されている。
【００３２】
また、図１に示すように、移動局２−２が５台、移動局２−１が１台であり、セル３−２の方が、セル３−１よりも接続中の移動局２の台数が多いので、セル３−２は、移動局２の台数に基づく負荷が、相対的に高い状況である。なお、図１における各移動局２の台数、各セル３の数、サイズおよび周波数は一例であり、本発明が図１に限定されるものではないことは言うまでもない。
【００３３】
次に、図１に示したスモールセル基地局１および移動局２の内部構成について図２を参照しながら詳細に説明する。図２は、本発明の第１の実施の形態に係るスモールセル基地局１および移動局２の内部構成の一例を示すブロック図である。なお、図１に示した移動局２−１と移動局２−２との内部構成は同一であり、図２には、移動局２として内部構成の一例を示している。以下、各装置の内部構成について順に説明する。
【００３４】
まず、スモールセル基地局１の内部構成について説明する。スモールセル基地局１は、図２に示すように、基地局無線送受信部１０、送受信バッファ部１１、移動局分布推定部１２、移動局通信状態測定部１３、移動局群特定部１４および無線パラメータ制御部１５、を少なくとも含んで構成されている。
【００３５】
基地局無線送受信部１０は、移動局２との間の無線通信を行うための、スモールセル基地局１における無線送受信の基本機能を備えている。該基本機能として、下り回線参照信号を含む制御信号やデータ信号の移動局２への送信機能や、上り回線参照信号を含む制御信号やデータ信号の移動局２からの受信機能、および、下り回線のデータ送信相手となる移動局２を選択し、割り当てた周波数リソース（ＰＲＢ: Physical  Resource  Block）やＭＣＳ（Modulation  and  Coding  Schemes)などのスケジューリング情報とともに、選択した移動局２に対してデータを送信するスケジューラ機能等がある。また、基地局無線送受信部１０は、無線送受信を行うために、周波数毎に、複数（本第１の実施の形態においては３．５ＧＨｚと２ＧＨｚとの２つ）の送受信アンテナ素子を備えている。複数の該送受信アンテナ素子は、例えば、電波の半波長の間隔でリニアアレイ状に配置されているものとすることにより、送信ビームのビームフォーミングや受信ビームの到来角推定が可能となる。
【００３６】
送受信バッファ部１１は、無線ネットワークを介して移動局２宛てに送られるデータ（または、移動局２から無線ネットワークを介して送られてくるデータ）を一時的に蓄える。送受信バッファ部１１を構成するバッファは、ユーザ毎およびＱＣＩ（ＱｏＳ  Class  Identifier）毎に準備する。ここで、ＱＣＩとは、無線ネットワークで提供されるサービス品質を示すＱｏＳ（Quality  of  Service）の識別指標を意味している。
【００３７】
移動局分布推定部１２は、移動局２のそれぞれからの上り回線参照信号を基地局無線送受信部１０の複数の送受信アンテナ素子にて受信することによって、各移動局２からの電波の到来角を推定し、該到来角の推定結果を収集して、全移動局２に対する到来角の角度分布を推定する。各移動局２からの電波の到来角を推定する方法としては、相関行列の固有値・固有ベクトルを用いるＭＵＳＩＣ（Multiple  Signal  Classification）法など、本発明に関する分野において一般的な技術を適用する。なお、図１に示したセル３−１（第１のセル）で通信する１台の移動局２−１は、高周波数（第１の周波数）側の３.５ＧＨｚキャリアを、セル３−２（第２のセル）で通信する５台の移動局２−２それぞれは、低周波数（第２の周波数）側の２ＧＨｚキャリアを、それぞれ用いて到来角を推定する。また、角度分布は、キャリア毎に区別することなく推定するものとする。
【００３８】
移動局通信状態測定部１３は、移動局２の通信における特徴的な状態として、トラヒックや受信品質などを移動局２毎に測定する。本第１の実施の形態においては、スモールセル基地局１との通信のために、どのセル３と接続しているかを移動局２の通信状態として測定するものとする。各移動局２の接続先のセル３は、基地局無線送受信部１０が通信毎に管理する接続セルの情報から取得することができる。具体的には、ハンドオーバなどのセル選択の際に、スモールセル基地局１から送信されるＰＣＩ情報（Physical  Cell  ID：電波レベルでセル３を識別する情報）を移動局２が測定・報告してくるので、該ＰＣＩ情報から接続セルを特定することができる。例えば、移動局２−１は、３.５ＧＨｚキャリアのセル３−１に接続し、移動局２−２は、２ＧＨｚキャリアのセル３−２に接続していることを特定することができる。
【００３９】
移動局群特定部１４は、移動局分布推定部１２にて推定した各移動局２の角度分布と、移動局通信状態測定部１３にて測定した各移動局２の通信状態と、を用いて、２ＧＨｚキャリアしか選択することができない移動局群の分布を特定する。本第１の実施の形態においては、移動局２毎に、到来角と接続先セルとの情報を合わせることによって、低周波数（第２の周波数）側である２ＧＨｚキャリアしか選択することができない場所にいる移動局２を特定する。移動局２が複数密集する場合には、それら複数の移動局２を１つの移動局群とみなす。
【００４０】
無線パラメータ制御部１５は、カバレッジを調整するために無線パラメータを制御する。本第１の実施の形態においては、移動局群特定部１４にて特定した移動局群が位置する角度に向けて、３.５ＧＨｚキャリアのセル３−１に関し、下り回線参照信号を含む送信ビームの指向性を制御する。つまり、無線パラメータ制御部１５は、少なくとも、高周波数（第１の周波数）側である３.５ＧＨｚキャリアの送信ビームの指向性を制御して、移動局群特定部１４において特定した移動局群に対するセル３−１（第１のセル）のカバレッジを制御するカバレッジ制御手段を提供している。
【００４１】
次に、図２の移動局２の内部構成について説明する。移動局２は、移動局無線送受信部２０を少なくとも含んで構成される。移動局無線送受信部２０は、スモールセル基地局１との無線通信のための、移動局２における無線送受信の基本機能を備えている。該基本機能として、上り回線参照信号を含む制御信号やデータ信号のスモールセル基地局１への送信機能や、下り回線参照信号を含む制御信号やデータ信号のスモールセル基地局１からの受信機能等がある。
【００４２】
（第１の実施の形態の動作の説明）
次に、本第１の実施の形態における、スモールセル基地局１のカバレッジ制御動作について、その一例を図３のフローチャートを参照しながら詳細に説明する。図３は、本発明の第１の実施の形態に係るカバレッジ制御方法の一例を実現するためのスモールセル基地局１における動作手順を示すフローチャートであり、スモールセル基地局１においてあらかじめ定めた時間間隔で周期的に実施される。
【００４３】
図３のフローチャートが起動されると、まず、移動局分布推定部１２において、各移動局２の上り回線参照信号の到来角情報を用いて、セル３−１およびセル３−２を含むカバレッジエリア内の移動局２の分布を推定する（ステップＳ１０１）。ステップＳ１０１の動作の一例を、図４Ａに示す。図４Ａ，図４Ｂ及び図４Ｃは、本発明の第１の実施の形態に係るスモールセル基地局１におけるカバレッジ制御の実施手順の一例を説明するための説明図であり、図４ＡはステップＳ１０１の動作の一例を、図４ＢはステップＳ１０３の動作の一例を、また、図４ＣはステップＳ１０５の動作の一例を、それぞれ説明している。
【００４４】
ステップＳ１０１においては、図４Ａに示すように、例えば、スモールセル基地局１から垂直に伸びる垂直軸を基準にして、セル３−１に属する１台の移動局２−１は、３.５ＧＨｚキャリアを用いて、また、セル３−２に属する５台の移動局２−２は、２ＧＨｚキャリアを用いて、それぞれ、鎖線矢印にて示す上り回線参照信号の到来角が測定される。ここで、スモールセル基地局１と各移動局２との間が見通し内に近い環境であればあるほど、周波数によらず、取得した到来角は、各移動局２の地理的な位置を示す角度方向とみなすことができ、セル３−１およびセル３−２を含むカバレッジエリア内の各移動局２の分布を推定することができる。
【００４５】
図３のフローチャートに戻って、次に、移動局通信状態測定部１３において、各移動局２の通信状態を測定する。ここで、前述したように、本第１の実施の形態においては、スモールセル基地局１との通信のために各移動局２がどのセル３と接続しているかを各移動局２の通信状態とみなすことにする。かくのごとき通信状態の測定結果から、２ＧＨｚキャリアのみ選択することが可能な移動局２を特定するために、接続先のセル３としてセル３−２を選択した移動局２−２を抽出する（ステップＳ１０２）。
【００４６】
しかる後、移動局群特定部１４において、ステップＳ１０１において求めた各移動局２の角度分布と、ステップＳ１０２において取得した各移動局２の通信状態と、を用いて、２ＧＨｚキャリアしか選択することができない少なくとも１台以上の移動局２の群（移動局群）の分布を特定する（ステップＳ１０３）。ステップＳ１０３の動作の一例を、図４Ｂに示す。
【００４７】
図４Ｂに示すように、接続先のセル３として２ＧＨｚキャリアで通信するセル３−２を選択した５台の移動局２−２について、あらかじめ定めた所定の角度範囲毎に区切って（図４Ｂの例においては、スモールセル基地局１から垂直に伸びる垂直軸から時計方向に２０°ずつ回転する０°〜１９°、２０°〜３９°、…の角度範囲毎に区切って）、ステップＳ１０１において得られた移動局２−２の到来角を基にして、各角度範囲毎に移動局２−２の台数を計上する。
【００４８】
各角度範囲毎に計上された移動局２−２の台数が、移動局２の総数（移動局２−１と移動局２−２との合計台数）に対して、あらかじめ定めた所定の割合閾値以上の場合に、該当する角度範囲に属する複数の移動局２−２（図４Ｂにおいては２０°〜３９°の角度範囲に属する移動局２−２として点線の丸で囲んだ３台の移動局２−２）を同一の移動局群とみなす。なお、本第１の実施の形態においては、セル３−１、セル３−２の２セル間でできる限り均等に負荷を分散する観点から、前記所定割合を５０％と設定している。
【００４９】
図４Ｂに示す例においては、前述したように、２０°〜３９°の角度範囲に移動局２−２が３台分布しており、かつ、３台は、移動局２の総数６台の５０％に相当しているので、当該角度範囲に属する３台の移動局２−２を１つの移動局群とみなすことになる。
【００５０】
図３のフローチャートに戻って、次に、ステップＳ１０１からステップＳ１０３までの動作によって、移動局群の存在が特定されたか否かを判定する（ステップＳ１０４）。特定された移動局群の数が正整数であり、移動局群が存在すると判定された場合は（ステップＳ１０４のＹＥＳ）、ステップＳ１０５に進む。一方、特定された移動局群の数が‘０’であり、移動局群は存在しないと判定された場合は（ステップＳ１０４のＮＯ）、ユーザすなわち移動局２のスループットの改善を図ることができない場合であるので、図３のフローチャートの動作を終了する。
【００５１】
移動局群が存在すると判定された場合は、前述のように、ステップＳ１０５に進み、無線パラメータ制御部１５において、ステップＳ１０３において特定した移動局群に向かうように、高周波数側の３.５ＧＨｚキャリアのセル３−１における下り回線参照信号を含む送信ビームの指向性を制御することにより、当該移動局群に対するセル３−１のカバレッジを拡大する（ステップＳ１０５）。ここで、３.５ＧＨｚキャリアの送信ビームの指向性の制御には、特定した移動局群の到来角を用いて、ビームの形状（幅やゲイン）を変えずに、送信ビームの指向性のみを制御するステアリングベクトル法を適用する。ステップＳ１０５の動作の一例を、図４Ｃに示す。
【００５２】
図４Ｃに示すように、特定した移動局群の代表角θに対して３.５ＧＨｚキャリアの送信ビームの指向性を向けるように制御する。ここで、当該代表角θは、特定した移動局群を構成する各移動局２の到来角の平均値を用いても良いし、特定した移動局群を構成する各移動局２の到来角の最大角と最小角との中央値を用いても良い。
【００５３】
以上に詳細に説明したように、本第１の実施の形態においては、低周波数（第２の周波数）側の２ＧＨｚキャリアしか選択することができない移動局群に向けて高周波数（第１の周波数）側の３.５ＧＨｚキャリアの送信ビームの指向性を制御するので、当該移動局群は高周波数（第１の周波数）側の３.５ＧＨｚキャリアを使用することが可能となり、セル３−１（第１のセル）とセル３−２（第２のセル）との間で負荷の分散を図ることができる。而して、当該移動局群を構成する移動局２の低下していたスループットを改善することができるという効果が得られる。
【００５４】
また、図３のフローチャートに示した制御手順は、マイクロプロセッサ等のコンピュータに基地局装置を制御するための制御プログラムを実行させることによっても実現することが可能である。すなわち、基地局制御プログラムを実行するコンピュータに、移動局群の特定、送信ビームの指向性制御等を実施させれば良い。
【００５５】
なお、本第１の実施の形態においては、特定された移動局群が１つのみの場合について説明したが、本発明は、かかる場合のみに限るものではなく、移動局群が複数特定される場合も対象としている。複数の移動局群が特定された場合には、例えば、移動局群を構成する移動局２の台数が最大となる１つの移動局群に対して、３.５ＧＨｚキャリアの送信ビームの指向性を制御するようにすれば良い。かくのごとく制御することによって、負荷分散を実現するための対象となる移動局２として、１度に、より多くの移動局２を選択することができる。
【００５６】
また、本第１の実施の形態においては、セル３−１とセル３−２との間でキャリアアグリゲーションを適用しない場合について説明したが、キャリアアグリゲーションを適用するようにしても良い。キャリアアグリゲーションを適用する場合は、高周波数側の３.５ＧＨｚキャリアの送信ビームの指向性をまず変更する。しかる後、特定された移動局群は、２ＧＨｚキャリアのセル３−２を、制御用のＲＲＣ（Radio  Resource  Control）コネクションを最初に張ったプライマリセルとして、また、３.５ＧＨｚキャリアのセル３−１を、データ用に付加的に張ったセカンダリセルとして、キャリアアグリゲーションを実施するようにする。したがって、該キャリアアグリゲーションにおいては、複数キャリアのセル間に跨ったスケジューラにより、セル間の負荷分散を実現することになる。
【００５７】
また、本第１の実施の形態においては、低周波数側の２ＧＨｚキャリアしか選択することができない移動局２の分布のみを用いたが、高周波数側の３.５ＧＨｚキャリアを選択した移動局２の分布も合わせて用いるようにしても良い。すなわち、高周波数側の３.５ＧＨｚキャリアを選択した移動局２の分布も推定することによって、特定した移動局群に向かうように３.５ＧＨｚキャリアの送信ビームの指向性を変更しても、３.５ＧＨｚキャリアを選択した移動局２が、継続して、３.５ＧＨｚキャリアを選択することができるか否かを判定することができる。
【００５８】
例えば、図４Ｃに示したように、２ＧＨｚキャリアの移動局群と３.５ＧＨｚキャリアの移動局２とが、ほぼ同一の角度分布に存在していれば、３.５ＧＨｚキャリアの送信ビームの指向性を変更しても、３.５ＧＨｚキャリアの移動局２の接続先セルに対する影響はないので、２ＧＨｚキャリアの当該移動局群に向かうように３.５ＧＨｚキャリアの送信ビームの指向性を変更することができるものと判断することができる。
【００５９】
＜本発明の第２の実施の形態＞
次に、本発明を適用したカバレッジ制御方法の第２の実施の形態について説明する。本第２の実施の形態に係る無線通信システムの構成およびスモールセル基地局１、移動局２の内部構成については、第１の実施の形態として示した図１、図２の場合と同一のシステム構成、内部構成であるが、本第２の実施の形態に係る無線通信システムにおけるカバレッジ制御方法の動作の一部が、第１の実施の形態として示した図３の場合とは異なっている。
【００６０】
すなわち、第１の実施の形態においては、移動局２の通信状態として、通信中（接続中）のセルを用いているが、本第２の実施の形態においては、移動局２の通信状態として、通信中（接続中）のセルを用いるのみならず、さらに、各移動局２宛ての送信バッファサイズも用いる場合について説明している。ここで、送信バッファサイズとは、移動局２とアプリケーションサーバとの間の通信において、途中に介在する基地局装置内に備えられたバッファに滞留する送信データ量を意味している。移動局２の通信状態として、送信バッファサイズもさらに用いることによって、移動局２当たりのトラヒック負荷に応じた制御を実現することができる。
【００６１】
本第２の実施の形態における、スモールセル基地局１のカバレッジ制御動作について、その一例を図５のフローチャートを参照しながら詳細に説明する。図５は、本発明の第２の実施の形態に係るカバレッジ制御方法の一例を実現するためのスモールセル基地局１における動作手順を示すフローチャートであり、第１の実施の形態における図３のフローチャートの場合と同様、スモールセル基地局１においてあらかじめ定めた時間間隔で周期的に実施される。図５のフローチャートに示すカバレッジ制御方法と図３の場合との相違点は、図３のステップＳ１０２に記載した各移動局２の通信状態の測定に関する動作が、ステップＳ２０２の動作に置き換わった点のみである。図５のフローチャートのその他のステップ（ステップＳ１０１、ステップＳ１０３〜ステップＳ１０５）の各動作については、図３のフローチャートの場合と同一であり、図３と同じステップ記号を付して、ここでの詳細な説明は割愛する。
【００６２】
図５のフローチャートにおけるステップＳ２０２においては、移動局通信状態測定部１３において、各移動局２の通信状態として、スモールセル基地局１との通信のために各移動局２がどのセル３と接続しているかを調べるとともに、さらに、各移動局２宛ての送信バッファサイズがあらかじめ定めた所定のサイズ閾値以上となる状態にあるか否かを測定する。ここで、送信バッファサイズは、送受信バッファ部１１に蓄えられているデータ量を測定することによって取得することができる。移動局２の通信状態の測定結果に基づいて、２ＧＨｚキャリアのみ選択することが可能であり、かつ、トラヒック負荷があらかじめ定めた負荷閾値以上に高い、移動局２を特定するために、接続先のセル３として低周波数（第２の周波数）側の２ＧＨｚキャリアのセル３−２（第２のセル）を選択した移動局２−２であって、かつ、送受信バッファ部１１に蓄えられているデータ量が前記サイズ閾値以上に多い移動局２−２を抽出する（ステップＳ２０２）。
【００６３】
かくのごときステップＳ２０２に示す動作を行うことにより、本第２の実施の形態に係るカバレッジ制御方法は、低周波数（第２の周波数）側の２ＧＨｚキャリアしか選択することができないことに加えて、さらに、トラヒック負荷が前記負荷閾値以上に高い移動局２からなる移動局群に向けて、高周波数（第１の周波数）側の３.５ＧＨｚキャリアの送信ビームの指向性を制御するので、セル３−２（第２のセル）からセル３−１（第１のセル）への負荷の分散効果を、第１の実施の形態よりも大きくすることができる。而して、当該移動局群を構成する移動局２の低下していたスループットをより確実に改善することができるという効果が得られる。
【００６４】
なお、本第２の実施の形態において移動局群が複数特定される場合には、例えば、移動局群を構成する各移動局２宛ての送信バッファサイズの合計値が最大となる１つの移動局群に対して、３.５ＧＨｚキャリアの送信ビームの指向性を制御するようにすれば良い。而して、セル３−２（第２のセル）からセル３−１（第１のセル）への負荷の分散効果をより確実に実現することができる。
【００６５】
また、本第２の実施の形態においては、通信中（接続中）のセル以外のトラヒックに関連する通信状態として、送信バッファサイズを用いた場合について説明したが、本発明はかかる場合のみに限るものではない。例えば、無線ネットワークにて提供されるサービス品質を示すＱｏＳ（Quality  of  Service）を用いても良い。ＱｏＳについては、トラヒックのタイプ（real  time、non-real  timeなど）、パケット送信遅延、パケットロス率等の要求品質の観点から優先度が規定されており、該優先度は、ＱＣＩ（ＱｏＳ  Class  Identifier)と称される。かかる場合には、送受信バッファ部１１における送受信バッファは、ＱＣＩ毎にも準備されることになる。
【００６６】
したがって、カバレッジ制御の対象とする移動局群を構成する移動局２を特定する際に、優先度を示すＱＣＩがあらかじめ定めた所定の優先度レベルよりも高い送信バッファに、送信データが、あらかじめ定めた所定量以上に蓄積されている状態になっている移動局２の通信状態を、トラヒックに関連する制御対象の通信状態と特定することによって、優先度の高い移動局２に対して、３.５ＧＨｚキャリアの送信ビームの指向性を制御することが可能となり、ＱｏＳの要求品質をより確実に満たすことができるようになる。
【００６７】
＜本発明の第３の実施の形態＞
次に、本発明を適用したカバレッジ制御方法の第３の実施の形態について説明する。本第３の実施の形態に係る無線通信システムにおけるカバレッジ制御方法においては、第１の実施の形態に係る無線通信システムの場合とは、第２の実施の形態の場合と同様、測定する移動局２の通信状態が異なっている。すなわち、測定する移動局２の通信状態として、第１の実施の形態においては、接続中（通信中）のセルを用いたのに対して、本第３の実施の形態においては、接続中（通信中）のセルに加えて、さらに、各移動局２の受信品質も用いる。ここで、受信品質としては、例えば、接続中（通信中）のセルにおける、下り回線参照信号の受信電力（ＲＳＲＰ: Reference  Signal  Received  Power）を測定して用いる。受信電力（ＲＳＲＰ）を用いることによって、接続中（通信中）のセルに対する希望信号の受信電力に応じた制御を実施することができる。
【００６８】
（第３の実施の形態の構成例の説明）
本発明の第３の実施の形態に係るスモールセル基地局、移動局を含む無線通信システムのシステム構成は、第１の実施の形態として図１に示したシステム構成と同様であり、無線通信システムにＬＴＥ（Long  Term  Evolution）方式を適用し、上り回線と下り回線とで、同一周波数で送信時間が異なるＴＤＤ(Time  Division  Duplex)方式を適用している。
【００６９】
次に、本第３の実施の形態におけるスモールセル基地局１および移動局２の内部構成について図６を参照しながら詳細に説明する。図６は、本発明の第３の実施の形態に係るスモールセル基地局１および移動局２の内部構成の一例を示すブロック図である。なお、図１に示した移動局２−１と移動局２−２との内部構成は同一であり、図６には、移動局２として内部構成の一例を示している。図６のブロック構成における第１の実施形態の図２との相違点は、各移動局２の受信電力（ＲＳＲＰ）を取得するために、図６に示す移動局２が、図２の移動局２と同様の移動局無線送受信部２０の他に、さらに、チャネル品質測定部２１とチャネル品質報告部２２とを追加して備えた構成になっている点である。
【００７０】
図６のブロック構成図のその他の構成要素（スモールセル基地局１の基地局無線送受信部１０、送受信バッファ部１１、移動局分布推定部１２、移動局通信状態測定部１３、移動局群特定部１４および無線パラメータ制御部１５の各部位、移動局２の移動局無線送受信部２０の部位）については、図２のブロック構成の場合と同一であり、図２と同じ参照符号を付して、ここでの詳細な説明は割愛する。以下、図６のブロック構成図において、本第３の実施の形態に特有の構成要素として移動局２に追加して備えられているチャネル品質測定部２１とチャネル品質報告部２２とについて、順に説明する。
【００７１】
チャネル品質測定部２１は、当該移動局２の接続先のセル（移動局２−１の場合は、３.５ＧＨｚキャリアのセル３−１、移動局２−２の場合は、２ＧＨｚキャリアのセル３−２）における下り回線参照信号の受信電力（ＲＳＲＰ）を測定する。
【００７２】
チャネル品質報告部２２は、チャネル品質測定部２１が測定した受信電力（ＲＳＲＰ）に関する情報を、周期測定レポート（Periodic  Measurement  Report）として、あらかじめ定めた所定の周期でスモールセル基地局１に対して報告する。而して、受信電力（ＲＳＲＰ）に関する周期測定レポートにおける報告値は、当該移動局２の移動局無線送受信部２０から、無線ネットワーク、スモールセル基地局１の基地局無線送受信部１０を介して、スモールセル基地局１の移動局通信状態測定部１３に届けられる。
【００７３】
（第３の実施の形態の動作の説明）
次に、本第３の実施の形態における、スモールセル基地局１のカバレッジ制御動作について、図７のフローチャートを参照しながら説明する。図７は、本発明の第３の実施の形態に係るカバレッジ制御方法の一例を実現するためのスモールセル基地局１における動作手順を示すフローチャートであり、第１の実施の形態における図３のフローチャートの場合と同様、スモールセル基地局１においてあらかじめ定めた時間間隔で周期的に実施される。図７のフローチャートに示すカバレッジ制御方法と図３の場合との相違点は、図３のステップＳ１０２に記載した各移動局２の通信状態の測定に関する動作が、ステップＳ３０２の動作に置き換わった点のみである。図７のフローチャートのその他のステップ（ステップＳ１０１、ステップＳ１０３〜ステップＳ１０５）の各動作については、図３のフローチャートの場合と同一であり、図３と同じステップ記号を付して、ここでの詳細な説明は割愛する。
【００７４】
図７のフローチャートにおけるステップＳ３０２においては、移動局通信状態測定部１３において、各移動局２の通信状態として、スモールセル基地局１との通信のために各移動局２がどのセル３と接続しているかを調べるとともに、さらに、各移動局２の受信電力（ＲＳＲＰ）があらかじめ定めた所定の電力閾値以下となる状態にあるか否かを測定する。移動局２の通信状態の測定結果に基づいて、２ＧＨｚキャリアのみ選択することが可能であり、かつ、受信品質があらかじめ定めた品質閾値以下の劣悪な状態に低下している、移動局２を特定するために、接続先のセル３として低周波数（第２の周波数）側の２ＧＨｚキャリアのセル３−２（第２のセル）を選択した移動局２−２であって、かつ、各移動局２から周期測定レポートとして周期的に送信されてくる受信電力（ＲＳＲＰ）に関する報告値が前記電力閾値以下に低下している移動局２−２を抽出する（ステップＳ３０２）。
【００７５】
かくのごときステップＳ３０２に示す動作を行うことにより、本第３の実施の形態に係るカバレッジ制御方法は、低周波数（第２の周波数）側の２ＧＨｚキャリアしか選択することができないことに加えて、さらに、受信品質が前記品質閾値以下の劣悪な状態に低下している移動局２からなる移動局群に向けて、高周波数（第１の周波数）側の３.５ＧＨｚキャリアの送信ビームの指向性を制御するので、セル３−２（第２のセル）からセル３−１（第１のセル）への負荷の分散効果を、第１の実施の形態よりも大きくすることができる。而して、当該移動局群を構成する移動局２の低下していたスループットをより確実に改善することができるという効果が得られる。
【００７６】
なお、本第３の実施の形態においては、各移動局２の通信状態として測定する受信品質について受信電力（ＲＳＲＰ）を用いる場合について説明したが、本発明における各移動局２の受信品質についは、かかる場合のみに限るものではない。例えば、各移動局２の受信品質として、下り回線参照信号の受信電力（ＲＳＲＰ）、下り回線参照信号の受信品質（ＲＳＲＱ：Reference  Signal  Received  Quality）、受信信号電力対干渉および雑音電力比（ＳＩＮＲ：Signal  to  Interference  plus  Noise  Ratio）、ＳＩＮＲに基づくチャネル品質インディケータ（ＣＱＩ：Channel  Quality  Indicator）、基地局のスケジューラで計算される平均送信レートなどのいずれか１ないし複数を用いても良い。これらの各種の受信品質のうち、ＲＳＲＱとＣＱＩとは、受信電力（ＲＳＲＰ）の場合と同様に、移動局２が測定し、測定結果をあらかじめ定めた周期で周期的にスモールセル基地局１に報告するようにすれば良い。
【００７７】
＜本発明の第４の実施の形態＞
次に、本発明を適用したカバレッジ制御方法の第４の実施の形態について説明する。本第４の実施の形態に係る無線通信システムにおいては、第１の実施の形態に係る無線通信システムに対して、各セルのセル負荷を測定する構成要素がさらに追加された構成となっている。そして、各セルのセル負荷を測定した結果、セル間のセル負荷の差が大きい場合には、第１の実施の形態における移動局群の特定と３.５ＧＨｚキャリアの送信ビームの指向性制御とを実施する。一方、セル間のセル負荷の差が小さければ、移動局群が存在する可能性が低いので、移動局群の特定および３.５ＧＨｚキャリアの送信ビームの指向性制御の動作を回避する。つまり、セル間のセル負荷の差が大きく、３.５ＧＨｚキャリアの送信ビームの指向性制御の必要性が高いときのみ、カバレッジの制御を実施する。なお、本第４の実施の形態において、測定対象とする各セルのセル負荷としては、通信中（接続中）の移動局２の台数（すなわちアクティブ移動局の台数）を用いている。
【００７８】
（第４の実施の形態の構成例の説明）
本発明の第４の実施の形態に係るスモールセル基地局、移動局を含む無線通信システムのシステム構成は、第１の実施の形態として図１に示したシステム構成と同様であり、無線通信システムにＬＴＥ（Long  Term  Evolution）方式を適用し、上り回線と下り回線とで、同一周波数で送信時間が異なるＴＤＤ(Time  Division  Duplex)方式を適用している。
【００７９】
次に、本第４の実施の形態におけるスモールセル基地局１および移動局２の内部構成について図８を参照しながら詳細に説明する。図８は、本発明の第４の実施の形態に係るスモールセル基地局１および移動局２の内部構成の一例を示すブロック図である。なお、図１に示した移動局２−１と移動局２−２との内部構成は同一であり、図８には、移動局２として内部構成の一例を示している。図８のブロック構成における第１の実施形態の図２との相違点は、各セル３のセル負荷を取得するために、図８に示すスモールセル基地局１が、図２のスモールセル基地局１と同様の各部位の他に、さらに、セル負荷測定部１６を追加して備えた構成になっている点である。
【００８０】
図８のブロック構成図のその他の構成要素（スモールセル基地局１の基地局無線送受信部１０、送受信バッファ部１１、移動局分布推定部１２、移動局通信状態測定部１３、移動局群特定部１４および無線パラメータ制御部１５の各部位、移動局２の移動局無線送受信部２０の部位）については、図２のブロック構成の場合と同一であり、図２と同じ参照符号を付して、ここでの詳細な説明は割愛する。以下、図８のブロック構成図において、本第４の実施の形態に特有の構成要素としてスモールセル基地局１に追加して備えられているセル負荷測定部１６について説明する。
【００８１】
セル負荷測定部１６は、各セル３のセル負荷として、各セル３に接続しているアクティブ移動局の台数を測定する。測定したセル負荷は、スモールセル基地局１内の無線パラメータ制御部１５に通知される。
【００８２】
（第４の実施の形態の動作の説明）
次に、本第４の実施の形態における、スモールセル基地局１のカバレッジ制御動作について、その一例を図９のフローチャートを参照しながら詳細に説明する。図９は、本発明の第４の実施の形態に係るカバレッジ制御方法の一例を実現するためのスモールセル基地局１における動作手順を示すフローチャートであり、第１の実施の形態における図３のフローチャートの場合と同様、スモールセル基地局１においてあらかじめ定めた時間間隔で周期的に実施される。図９のフローチャートに示すカバレッジ制御方法と図３の場合との相違点は、図９の最初のステップとしてステップＳ４−６の動作が追加された点のみである。図９のフローチャートのその他のステップ（ステップＳ１０１〜ステップＳ１０５）の各動作については、図３のフローチャートの場合と同一であり、図３と同じステップ記号を付して、ここでの詳細な説明は割愛する。
【００８３】
図９のフローチャートにおけるステップＳ４０６においては、無線パラメータ制御部１５において、まず、セル負荷測定部１６にて測定されたセル３−１とセル３−２とのセル負荷を比較する（ステップＳ４０６）。セル３−１のセル負荷が、セル３−２のセル負荷に対してさらにあらかじめ定めた所定の差分閾値Ａを加算した値よりも小さい場合、すなわち、セル３−１のセル負荷が、セル３−２のセル負荷に比してあらかじめ定めた所定の差分閾値Ａよりも小さい場合（ステップＳ４０６のＹＥＳ）、セル３−２のセル負荷がセル３−１のセル負荷に比して相対的に大きいとみなされて、カバレッジの制御を実施するために、ステップＳ１０１以降の処理に移行する。
【００８４】
一方、セル３−１のセル負荷が、セル３−２のセル負荷にあらかじめ定めた所定の差分閾値Ａを加算した値以上に大きい場合は（ステップＳ４０６のＮＯ）、セル３−２のセル負荷がセル３−１のセル負荷に比して相対的に小さく、カバレッジ制御の対象となる移動局群が存在する可能性が低いので、ステップＳ１０１以降の動作を実施することなく、図９のフローチャートの動作を終了する。
【００８５】
かくのごときステップＳ４０６に示す動作を行うことにより、本第４の実施の形態に係るカバレッジ制御方法は、高周波数（第１の周波数）側の３.５ＧＨｚキャリアを用いるセル３−１（第１のセル）と低周波数（第２の周波数）側の２ＧＨｚキャリアを用いるセル３−２（第２のセル）との間で、セル負荷に大きな偏りが生じている場合には、該偏りを是正するように、負荷分散の対象となる移動局群に向けて、高周波数（第１の周波数）側の３.５ＧＨｚキャリアの送信ビームの指向性を制御する。したがって、カバレッジ制御が必要な場合にのみ、セル３−１（第１のセル）への負荷の分散を実現することになり、カバレッジ制御の処理負荷を軽減しながらスループットを確実に改善することができる。また、負荷の分散先であるセル３−１（第１のセル）のセル負荷も考慮しているので、セル３−１（第１のセル）に既に接続されている移動局２−１へのカバレッジ制御による影響を抑えながら、セル負荷の低いセル３−１（第１のセル）に対して効果的に負荷を分散させることができる。
【００８６】
なお、本第４の実施の形態においては、セル負荷として、アクティブ移動局の台数を用いる場合について説明したが、本発明におけるセル負荷については、かかる場合のみに限るものではない。例えば、セル負荷として、アクティブ移動局の台数、セル３の周波数毎の帯域幅の違いを考慮した周波数帯域当たりのアクティブ移動局の台数、周波数リソースのリソース使用率、各セル３内の移動局２すなわち各アクティブ移動局宛ての送信バッファサイズの合計値などのうち、いずれか１ないし複数を用いても良い。
【００８７】
＜本発明のその他の実施の形態＞
次に、本発明を適用したカバレッジ制御方法のその他の実施の形態について説明する。前述した第１の実施の形態から第４の実施の形態までの各実施の形態においては、スモールセル基地局１が各移動局２の分布を推定するために、移動局分布推定部１２において上り回線参照信号の到来角を測定する場合について説明したが、本発明における移動局分布推定動作は、かかる場合のみに限るものではない。
【００８８】
例えば、各移動局２が、下り回線参照信号の到来角度毎の受信品質を測定して、測定した受信品質に関する情報を、プリコーディングウェイト情報（ＰＭＩ：Precoding  Matrix  Indicator）として、スモールセル基地局１の移動局分布推定部１２に報告するようにしても良い。上り回線参照信号の到来角の場合は、下り回線と上り回線とで同一の周波数を用いるＴＤＤの場合に適しているのに対して、プリコーディングウェイト情報ＰＭＩとして移動局２側から報告する場合は、スモールセル基地局１から各移動局２へのフィードバック遅延が生じるものの、ＴＤＤの場合のみに限らず、下り回線と上り回線とで異なる周波数を用いるＦＤＤ（Frequency Division Duplex)の場合であっても適用することができる。
【００８９】
また、前述した第１の実施の形態から第４の実施の形態までの各実施の形態においては、カバレッジ制御対象として、低周波数（第２の周波数）側の２ＧＨｚキャリアのセル３−２（第２のセル）のあらかじめ定めた角度範囲内に存在している複数の移動局２−２からなる移動局群に対して、セル３−１（第１のセル）が用いる高周波数（第１の周波数）側の３.５ＧＨｚキャリアの送信ビームの指向性を制御することによって、セル３−２（第２のセル）に収容されている移動局群の各移動局２−２を、セル３−１（第１のセル）によってもカバーすることができるように制御する場合について説明したが、本発明におけるカバレッジ制御動作は、かかる場合のみに限るものではない。
【００９０】
例えば、セル３−２（第２のセル）に存在する移動局２−２の一部が、電波の減衰が大きくなる屋内に位置し、高周波数（第１の周波数）側の３.５ＧＨｚキャリアが到達し難い場合も生じ得る。かかる場合に備えて、移動局２−２の通信状態として、移動局２−２が屋内・屋外いずれかで通信しているかという通信位置状態を判定して、該判定結果を用いて、３.５ＧＨｚキャリアのセル３−１の送信ビームの指向性を制御するようにしても良い。つまり、通信位置状態の判定結果として、屋内に位置すると判定された移動局２−２については、カバレッジ制御の対象から外す一方、屋外に位置すると判定された移動局２−２のみをカバレッジ制御の対象として、当該移動局２−２に向けて３.５ＧＨｚキャリアのセル３−１の送信ビームの指向性を制御するようにしても良い。ここで、屋内で通信している状態を判定する方法としては、例えば、ＧＰＳ（Global  Positioning  System）電波の受信レベルがあらかじめ定めた所要レベル閾値よりも小さいと判定された場合や、ＧＰＳ衛星の検出数があらかじめ定めた検出衛星数閾値よりも少ないと判定された場合、などが挙げられる。
【００９１】
また、前述した第１の実施の形態から第４の実施の形態までの各実施の形態においては、高周波数（第１の周波数）側の３.５ＧＨｚキャリアのセル３−１の送信ビームの指向性を制御する場合について説明したが、本発明における送信ビームの指向性制御動作は、かかる場合のみに限るものではない。
【００９２】
例えば、カバレッジの制御動作として、低周波数（第２の周波数）側の２ＧＨｚキャリアのセル３−２の送信ビームの指向性を制御するようにしても良い。かかる場合には、各移動局２−２は、前述した第３の実施の形態において説明したような、当該移動局２−２が接続中のセル３−２（第２のセル）だけではなく、セル３−１（第１のセル）の受信品質も合わせて測定する。
【００９３】
測定結果として、セル３−１（第１のセル）の受信品質があらかじめ定めた第１セル品質閾値以下、または、セル３−２（第２のセル）の受信品質に対するセル３−１（第１のセル）の受信品質の相対値があらかじめ定めた所定閾値以下の場合には、セル３−１（第１のセル）の３.５ＧＨｚキャリアの送信ビームの指向性を制御しても、当該移動局２−２をカバーすることはできないものと判断して、セル３−２の２ＧＨｚキャリアの送信ビームの指向性を制御することにする。
【００９４】
かくのごとく、セル３−２の２ＧＨｚキャリアの送信ビームの指向性を制御することによって、該当する移動局２−２の接続先セル３の受信品質を改善することができるので、スループットの改善を期待することができる。
【００９５】
あるいは、前述した第４の実施の形態における図９のステップＳ４０６のセル負荷の判定動作について、セル３−１（第１のセル）の３.５ＧＨｚキャリアではなく、セル３−２（第２のセル）の２ＧＨｚキャリアの送信ビームの指向性を制御する場合のセル負荷を判定する動作を行うために、図９のステップＳ４０６の不等号を逆向きに変更して、セル３−１（第１のセル）のセル負荷が、セル３−２（第２のセル）のセル負荷に対してあらかじめ定めた所定の差分閾値Ａを加算した値よりも大きいか否かを判定するようにしても良い。セル３−１（第１のセル）のセル負荷が、セル３−２（第２のセル）のセル負荷に対して所定の差分閾値Ａを加算した値よりも大きい場合は、セル３−２（第２のセル）のセル負荷がセル３−１（第１のセル）のセル負荷に比して相対的に小さいので、セル３−２（第２のセル）の２ＧＨｚキャリアの送信ビームの指向性の制御を行っても、その影響を受ける移動局２−２の台数が少なくて済むことになる。
【００９６】
また、前述した第１の実施の形態から第４の実施の形態までの各実施の形態においては、高周波数（第１の周波数）側の３.５ＧＨｚキャリアと低周波数（第２の周波数）側の２ＧＨｚキャリアとは、いずれも、１つの周波数帯域を有する１つのセルから構成されている場合について説明したが、本発明におけるシステム構成は、かかる場合のみに限るものではない。
【００９７】
例えば、高周波数（第１の周波数）側の３.５ＧＨｚキャリア、低周波数（第２の周波数）側の２ＧＨｚキャリアのそれぞれが、複数の周波数帯域から構成され、複数のセルから構成されていても良い。このときの各周波数帯域をコンポーネントキャリア（以下、ＣＣと略記する）と称し、各ＣＣがセルに対応している。例えば、３.５ＧＨｚキャリアが、総量で、４０ＭＨｚ幅の周波数帯域から構成される場合、１０ＭＨｚ幅の４ＣＣ（４セル）に分割することができる。かくのごとく、複数のＣＣからなるキャリアの場合においては、各ＣＣに対して、前述の第１の実施の形態から第４の実施の形態までの各実施の形態に示したようなカバレッジ制御動作を実施することになる。その結果、移動局群が複数特定された場合には、各ＣＣ毎のカバレッジ制御動作により、低周波数（第２の周波数）側の２ＧＨｚキャリアに存在する複数の各移動局群を高周波数（第１の周波数）側の３.５ＧＨｚキャリアの各ＣＣに収容することができる。
【００９８】
また、前述した第１の実施の形態から第４の実施の形態までの各実施の形態においては、セル３−１とセル３−２とが異なる周波数を有する同一通信方式の場合について説明したが、本発明におけるセル３−１とセル３−２とは、かかる場合のみに限るものではない。
【００９９】
例えば、セル３−１とセル３−２とが、互いに異なるＲＡＴ（Radio  Access  Technology）を用いている場合であっても良い。すなわち、セル３−１がＬＴＥ方式を用い、セル３−２が第３世代のＵＭＴＳ（Universal  Mobile  Telecommunications  System)を用いている場合や、セル３−１がWireless  ＬＡＮを用い、セル３−２がＬＴＥを用いている場合などの組み合わせからなっている場合とすることも可能である。ただし、ＲＡＴが異なった場合には、対応する周波数も異なるので、セル３−１とセル３−２との周波数が異なることに変わりはない。
【０１００】
また、前述した第１の実施の形態から第４の実施の形態までの各実施の形態においては、ＬＴＥ方式の無線通信システムに本発明を適用する場合について説明したが、本発明の適用先となる無線通信方式は、かかる場合のみに限るものではない。
【０１０１】
例えば、ＵＭＴＳ方式の無線通信システムに適用する場合であっても良いし、上り回線と下り回線とで異なる周波数を同時に使用するＦＤＤ方式の無線通信システムや、例えばＷｉＭＡＸ、ＩＥＥＥ８０２.１６m等のＬＴＥ方式とは異なるＴＤＤ方式の無線通信システムに適用する場合であっても良い。
【０１０２】
また、前述した第１の実施の形態から第４の実施の形態までの各実施の形態においては、セル３−１とセル３−２とを、同一のスモールセル基地局１に備えている場合について説明したが、本発明におけるセル構成としては、かかる場合のみに限るものではない。
【０１０３】
例えば、セル３−１とセル３−２とが、互いが有線または無線の回線で接続されている異なる基地局装置のそれぞれに分かれて備えられるように構成しても良い。例えば、セル３−１がフェムトセル基地局に、セル３−２がピコ基地局にそれぞれ備えられる場合や、セル３−１がリモート・レディオ・ヘッド（ＲＲＨ：Remote  Radio  Head）基地局に、セル３−２がマクロ基地局にそれぞれ備えられている場合であっても良い。かかる場合、移動局２の角度分布を推定する際に、移動局２と各基地局との位置情報を用いた３点測量などの方法によって、移動局２の分布を補正すれば良い。あるいは、同一の基地局装置、異なる基地局装置の如何を問わず、第１のセル３−１が第２のセル３−２のカバレッジ内に位置するスモールセルであっても良い。
【０１０４】
また、前述した第１の実施の形態から第４の実施の形態までの各実施の形態においては、各移動局２は、セル３−１とセル３−２との間で、複数の周波数帯域を同時に用いて通信するキャリアアグリゲーション（ＣＡ：Carrier  Aggregation）を適用しないIn-Band  ＣＡなしの場合について説明したが、本発明は、セル３−１とセル３−２とのいずれか一方のセルを用いて通信を行う場合のみに限るものではなく、セル３−１とセル３−２との双方のセルを用いて通信を行うIn-Band  ＣＡありの場合であっても構わない。
【０１０５】
また、前述した第１の実施の形態から第４の実施の形態までの各実施の形態においては、セル３のキャリアに関する送信ビームの指向性を制御することにより、移動局２に対する当該セル３のカバレッジを制御するカバレッジ制御方法について説明したが、かくのごときカバレッジ制御方法に限るだけでなく、セル３のキャリアに関する送信ビームの指向性を制御する指向性制御方法として構成するようにしても、勿論構わない。
【０１０６】
例えば、第１の周波数をキャリアとして用いる少なくとも１つのセル３−１（第１のセル）と、前記第１の周波数よりも低周波数帯の第２の周波数をキャリアとして用いる少なくとも１つのセル３−２（第２のセル）と、基地局装置と、前記セル３−１（第１のセル）と前記セル３−２（第２のセル）との少なくとも一方のセルによって通信する移動局２と、を少なくとも含んで構成される無線通信システムにおいて前記第１の周波数あるいは前記第２の周波数の送信ビームの指向性を制御する指向性制御方法であって、前記セル３−１（第１のセル）および前記セル３−２（第２のセル）における前記移動局２の分布を推定する移動局分布推定ステップと、前記移動局２の通信状態を測定する移動局通信状態測定ステップと、前記移動局分布推定ステップにおいて推定した前記移動局２の分布と前記移動局通信状態測定ステップにおいて測定した前記移動局２の通信状態とに基づいて、少なくとも、前記セル３−２（第２のセル）に分布する前記移動局２を含む１台以上の前記移動局２から構成される移動局群を特定する移動局群特定ステップと、少なくとも、前記移動局群特定ステップにおいて特定した前記移動局群に対する前記第１の周波数の送信ビームの指向性を制御する指向性制御ステップと、を少なくとも有していることを特徴とする指向性制御方法であっても良い。
【０１０７】
また、かくのごとき指向性制御方法において、前記セル３−１（第１のセル）と前記セル３−２（第２のセル）とが、同一の基地局装置に実装されていても良いし、また、前記セル３−１（第１のセル）が前記セル３−２（第２のセル）のカバレッジ内に位置するスモールセルであっても良い。
【０１０８】
また、かくのごとき指向性制御方法において、前記セル３−１（第１のセル）と前記セル３−２（第２のセル）とが、互いに有線回線で接続されている異なる基地局のそれぞれに分かれて実装されていても良いし、例えば、前記セル３−１（第１のセル）がフェムトセル基地局に、前記セル３−２（第２のセル）がピコ基地局にそれぞれ実装されていても良いし、あるいは、前記セル３−１（第１のセル）がリモート・レディオ・ヘッド（ＲＲＨ：Remote  Radio  Head）基地局に、前記セル３−２（第２のセル）がマクロ基地局にそれぞれ実装されていても良い。
【０１０９】
また、かくのごとき指向性制御方法において、前記移動局分布推定ステップにおける前記移動局２の分布の推定動作を、前記第１のセルを実装する基地局装置、前記第２のセルを実装する基地局装置、もしくは、他の機器において実施するようにしても良い。
【０１１０】
また、かくのごとき指向性制御方法において、前記第１の周波数は３．０ＧＨｚよりも高い周波数であり、前記第２の周波数が３．０ＧＨｚよりも低い周波数である場合が望ましい。例えば、前述のように、前記第１の周波数が３．５ＧＨｚであり、前記第２の周波数が２ＧＨｚであっても良い。あるいは、かくのごとき指向性制御方法において、例えば、前記第１の周波数が１．０ＧＨｚよりも高い周波数であり、前記第２の周波数が１．０ＧＨｚよりも低い周波数である場合であっても構わない。
【０１１１】
上述の実施の形態では、本発明をハードウェアの構成として説明したが、本発明は、これに限定されるものではない。本発明は、任意の処理を、ＣＰＵ（Central Processing Unit）にコンピュータプログラムを実行させることにより実現することも可能である。また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１２】
＜付記＞
以上に、本発明に係る実施の形態について、詳細に説明したことからも明らかなように、前述の各実施の形態の一部または全部は、以下の各付記のようにも記載することができるが、本発明はかかる場合に限るものではないことは言うまでもない。
【０１１３】
（付記１）第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局と、を含む無線通信システムにおけるカバレッジ制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記第１の周波数の送信ビームの指向性を制御して、前記移動局群特定ステップにおいて特定した前記移動局群に対する前記第１のセルのカバレッジを制御するカバレッジ制御ステップと、を有するカバレッジ制御方法。
【０１１４】
（付記２）前記移動局分布推定ステップにおいて前記移動局の分布を推定するために、各前記移動局が送信する上り回線参照信号を受信し、受信した前記上り回線参照信号の到来角を測定することによって、各前記移動局が位置する角度分布を推定する前記付記１に記載のカバレッジ制御方法。
【０１１５】
（付記３）前記移動局分布推定ステップにおいて前記移動局の分布を推定するために、各前記移動局が下り回線参照信号の到来角度毎の受信品質を測定して、測定した前記受信品質に関する情報を、プリコーディングウェイト情報（ＰＭＩ：Precoding  Matrix  Indicator）として各前記移動局から報告することによって、各前記移動局が位置する角度分布を推定する前記付記１に記載のカバレッジ制御方法。
【０１１６】
（付記４）移動局通信状態測定ステップにおいて前記移動局の前記通信状態を測定するために、少なくとも、前記移動局が前記第２のセルと接続中の状態であるか否かを測定する前記付記１ないし３のいずれかに記載のカバレッジ制御方法。
【０１１７】
（付記５）前記移動局通信状態測定ステップにおいて前記移動局の前記通信状態を測定するために、少なくとも、前記移動局が前記第２のセルと接続中の状態であり、かつ、前記移動局宛ての送信バッファサイズがあらかじめ定めたサイズ閾値以上となる状態であるか否かを測定する前記付記１ないし３のいずれかに記載のカバレッジ制御方法。
【０１１８】
（付記６）前記移動局通信状態測定ステップにおいて前記移動局の前記通信状態を測定するために、少なくとも、前記移動局が前記第２のセルと接続中の状態であり、かつ、受信品質があらかじめ定めた品質閾値以下の状態に低下しているか否かを測定する前記付記１ないし３のいずれかに記載のカバレッジ制御方法。
【０１１９】
（付記７）前記移動局通信状態測定ステップにおいて測定される前記受信品質として、下り回線参照信号の受信電力（ＲＳＲＰ: Reference  Signal  Received  Power），下り回線参照信号の受信品質（ＲＳＲＱ：Reference  Signal  Received  Quality）、受信信号電力対干渉および雑音電力比（ＳＩＮＲ：Signal  to  Interference  plus  Noise  Ratio）、チャネル品質インディケータ（ＣＱＩ：Channel  Quality  Indicator）、あるいは、平均送信レートのいずれか１ないし複数を用いる前記付記６に記載のカバレッジ制御方法。
【０１２０】
（付記８）前記移動局通信状態測定ステップにおいて前記移動局の前記通信状態を測定するために、少なくとも、前記移動局が前記第２のセルと接続中の状態であり、かつ、優先度を示すＱＣＩ（ＱｏＳ  Class  Identifier)があらかじめ定めた優先度レベルよりも高い送信バッファに蓄積される送信データ量が、あらかじめ定めた所定量以上に達している状態であるか否かを測定する前記付記１ないし３のいずれかに記載のカバレッジ制御方法。
【０１２１】
（付記９）前記移動局通信状態測定ステップにおいて前記移動局の前記通信状態を測定するために、少なくとも、前記移動局が前記第２のセルと接続中の状態であり、かつ、前記移動局が屋外に位置する状態であるか否かを測定する前記付記１ないし３のいずれかに記載のカバレッジ制御方法。
【０１２２】
（付記１０）前記移動局が屋外に位置する状態であるか否かを測定する際に、記移動局におけるＧＰＳ（Global  Positioning  System）電波の受信レベルがあらかじめ定めた所要レベル閾値以上に大きい、または、ＧＰＳ衛星の検出数があらかじめ定めた検出衛星数閾値よりも多い場合に、屋外に位置する状態であると判定する前記付記９に記載のカバレッジ制御方法。
【０１２３】
（付記１１）前記移動局群特定ステップにおいて前記移動局群を特定するために、前記第２のセルと接続中の状態にある前記移動局のうち、あらかじめ定めた所定の角度範囲毎に区切った領域内に存在している前記移動局の台数が、前記移動局の総数に対するあらかじめ定めた割合閾値以上に達している角度範囲が存在していた場合に、当該角度範囲の領域内に存在している前記移動局を、１つの前記移動局群として特定する前記付記１ないし１０のいずれかに記載のカバレッジ制御方法。
【０１２４】
（付記１２）前記カバレッジ制御ステップにおいて前記第１の周波数の送信ビームの指向性を制御するために、前記移動局群特定ステップにおいて特定した前記移動局群の分布領域を代表する代表角に向かうように、前記第１のセルのキャリアの送信ビームの指向性を制御する前記付記１ないし１１のいずれかに記載のカバレッジ制御方法。
【０１２５】
（付記１３）前記移動局群特定ステップにおいて前記第１のセルのキャリアの送信ビームの指向性が向くように制御する前記移動局群の前記代表角として、特定した前記移動局群を構成する各前記移動局の到来角の平均値、あるいは、特定した前記移動局群を構成する各前記移動局の到来角の最大角と最小角との中央値を用いる前記付記１２に記載のカバレッジ制御方法。
【０１２６】
（付記１４）前記カバレッジ制御ステップとして、前記第１のセルと前記第２のセルとのそれぞれのセル負荷を測定するセル負荷測定ステップをさらに有し、前記カバレッジ制御ステップは、前記セル負荷測定ステップにおける前記セル負荷の測定結果として、少なくとも、前記第１のセルのセル負荷が、前記第２のセルのセル負荷に比してあらかじめ定めた差分閾値よりも小さいと判定したときに、前記第１の周波数の送信ビームの指向性を制御して、前記移動局群特定ステップにおいて特定した前記移動局群に対する前記第１のセルのカバレッジを制御する動作を行う前記付記１ないし１３のいずれかに記載のカバレッジ制御方法。
【０１２７】
（付記１５）前記セル負荷測定ステップにおいて測定する前記セル負荷として、前記第１のセルまたは前記第２のセルのセルと接続中の状態にあるアクティブ移動局の台数、周波数帯域当たりの前記アクティブ移動局の台数、周波数リソースのリソース使用率、各前記アクティブ移動局宛ての送信バッファサイズの合計値のうちいずれか１ないし複数を用いる前記付記１４に記載のカバレッジ制御方法。
【０１２８】
（付記１６）前記カバレッジ制御ステップにおいて、前記第１の周波数の送信ビームの指向性を前記移動局群に向かうように制御する代わりに、前記第２の周波数の送信ビームの指向性を前記移動局群に向かうように制御する前記付記１ないし１１のいずれかに記載のカバレッジ制御方法。
【０１２９】
（付記１７）前記カバレッジ制御ステップにおいて前記第２の周波数の送信ビームの指向性を前記移動局群に向かうように制御する場合として、少なくとも、前記第１のセルの受信品質があらかじめ定めた第１セル品質閾値以下、または、前記第２のセルの受信品質に対する前記第１のセルの受信品質の相対値があらかじめ定めた所定閾値以下の場合とする前記付記１６に記載のカバレッジ制御方法。
【０１３０】
（付記１８）前記カバレッジ制御ステップとして、前記第１のセルと前記第２のセルとのそれぞれのセル負荷を測定するセル負荷測定ステップをさらに有し、前記カバレッジ制御ステップにおいて前記第２の周波数の送信ビームの指向性を前記移動局群に向かうように制御する場合として、少なくとも、前記第１のセルのセル負荷が、前記第２のセルのセル負荷に比してあらかじめ定めた差分閾値よりも大きいと判定した場合とする前記付記１６に記載のカバレッジ制御方法。
【０１３１】
（付記１９）各前記移動局は、前記第１のセルと前記第２のセルとのいずれか一方のセルを用いて通信する前記付記１ないし１８のいずれかに記載のカバレッジ制御方法。
【０１３２】
（付記２０）各前記移動局は、前記第１のセルと前記第２のセルとの双方のセルを用いて通信する前記付記１ないし１８のいずれかに記載のカバレッジ制御方法。
【０１３３】
（付記２１）前記第１のセルのキャリアとして用いる前記第１の周波数、前記第２のセルのキャリアとして用いる前記第２の周波数のそれぞれが、複数の周波数帯域から構成され、前記第１のセル、前記第２のセルのそれぞれが、複数の該周波数帯域毎に対応する複数のセルに分割されて構成されている前記付記１ないし２０のいずれかに記載のカバレッジ制御方法。
【０１３４】
（付記２２）第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局と、を含む無線通信システムにおいて前記第１の周波数あるいは前記第２の周波数の送信ビームの指向性を制御する指向性制御方法であって、前記第１のセルおよび前記第２のセルにおける前記移動局の分布を推定する移動局分布推定ステップと、前記移動局の通信状態を測定する移動局通信状態測定ステップと、前記移動局分布推定ステップにおいて推定した前記移動局の分布と前記移動局通信状態測定ステップにおいて測定した前記移動局の通信状態とに基づいて、前記第２のセルに分布する前記移動局を含む１台以上の前記移動局から構成される移動局群を特定する移動局群特定ステップと、前記移動局群特定ステップにおいて特定した前記移動局群に対する前記第１の周波数の送信ビームの指向性を制御する指向性制御ステップと、を有する指向性制御方法。
【０１３５】
（付記２３）前記第１のセルと前記第２のセルとが、同一の基地局装置に実装されている前記付記２２に記載の指向性制御方法。
【０１３６】
（付記２４）前記第１のセルが前記第２のセルのカバレッジ内に位置するスモールセルである前記付記２２に記載の指向性制御方法。
【０１３７】
（付記２５）前記第１のセルと前記第２のセルとが、互いに有線回線で接続されている異なる基地局装置のそれぞれに分かれて実装されている前記付記２２に記載の指向性制御方法。
【０１３８】
（付記２６）前記第１のセルがフェムトセル基地局に、前記第２のセルがピコ基地局にそれぞれ実装されている前記付記２５に記載の指向性制御方法。
【０１３９】
（付記２７）前記第１のセルがリモート・レディオ・ヘッド（ＲＲＨ：Remote  Radio  Head）基地局に、前記第２のセルがマクロ基地局にそれぞれ実装されている前記付記２５に記載の指向性制御方法。
【０１４０】
（付記２８）前記移動局分布推定ステップにおける前記移動局の分布の推定動作を、前記第１のセルを実装する基地局装置、前記第２のセルを実装する基地局装置、もしくは、他の機器のいずれかにおいて実施する前記付記２２ないし２７のいずれかに記載の指向性制御方法。
【０１４１】
（付記２９）前記第１の周波数が３．０ＧＨｚよりも高い周波数であり、前記第２の周波数が３．０ＧＨｚよりも低い周波数である前記付記２２ないし２８のいずれかに記載の指向性制御方法。
【０１４２】
（付記３０）前記第１の周波数が１．０ＧＨｚよりも高い周波数であり、前記第２の周波数が１．０ＧＨｚよりも低い周波数である前記付記２２ないし２８のいずれかに記載の指向性制御方法。
【０１４３】
（付記３１）第１の周波数をキャリアとして用いる少なくとも１つの第１のセルと、前記第１の周波数よりも低周波数帯の第２の周波数をキャリアとして用いる少なくとも１つの第２のセルと、前記第１のセルと前記第２のセルとの少なくとも一方のセルによって通信する移動局と、を少なくとも含んで構成される無線通信システムにおける基地局装置であって、前記第１のセルおよび前記第２のセルにおける前記移動局の分布を推定する移動局分布推定手段と、前記移動局との通信状態を測定する移動局通信状態測定手段と、前記移動局分布推定手段において推定した前記移動局の分布と前記移動局通信状態測定手段において測定した前記移動局との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有する基地局装置。
【０１４４】
（付記３２）前記第１のセルと前記第２のセルとの一方のセルもしくは双方のセルを構成要素として備えて構成されている前記付記３１に記載の基地局装置。
【０１４５】
（付記３３）前記第１のセルと前記第２のセルとのいずれか一方のセルを構成要素として備え、かつ、前記第１のセルと前記第２のセルとのいずれか他方のセルを構成要素として備えて構成されている他の基地局装置と互いに有線または無線の回線で接続されている前記付記３１に記載の基地局装置。
【０１４６】
（付記３４）第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムであって、前記第１のセルおよび前記第２のセルにおける前記移動局の分布を推定する移動局分布推定手段と、前記移動局と前記基地局装置との通信状態を測定する移動局通信状態測定手段と、前記移動局分布推定手段において推定した前記移動局の分布と前記移動局通信状態測定手段において測定した前記移動局と前記基地局装置との通信状態とに基づいて、前記第２のセルに分布する前記移動局を含む１台以上の前記移動局から構成される移動局群を特定する移動局群特定手段と、前記第１の周波数の送信ビームの指向性を制御して、前記移動局群特定手段において特定した前記移動局群に対する前記第１のセルのカバレッジを制御するカバレッジ制御手段と、を有する無線通信システム。
【０１４７】
（付記３５）前記第１のセルと前記第２のセルとのいずれか一方のセルを構成要素として備え、かつ、前記第１のセルと前記第２のセルとのいずれか他方のセルを構成要素として備えて構成されている他の無線通信システムと互いに有線または無線の回線で接続されている前記付記３４に記載の無線通信システム。
【０１４８】
（付記３６）前記第１のセルと前記第２のセルとのそれぞれの無線アクセス方式（ＲＡＴ：Radio  Access  Technology）が互いに異なっている前記付記３４または３５に記載の無線通信システム。
【０１４９】
（付記３７）前記第１のセルと前記第２のセルとの無線アクセス方式として、ＬＴＥ（Long  Term  Evolution）方式、ＵＭＴＳ（Universal  Mobile  Telecommunications  System)方式、Wireless  ＬＡＮ方式、のうちいずれかを用いている前記付記３６に記載の無線通信システム。
【０１５０】
（付記３８）第１の周波数をキャリアとして用いる少なくとも１つの第１のセルと、前記第１の周波数よりも低周波数帯の第２の周波数をキャリアとして用いる少なくとも１つの第２のセルと、基地局装置と、前記第１のセルと前記第２のセルとの少なくとも一方のセルによって通信する移動局とを含む無線通信システムにおいて、前記基地局装置に実装されたコンピュータの制御プログラムとして実行される基地局制御プログラムであって、前記第１のセルおよび前記第２のセルにおける前記移動局の分布を推定する移動局分布推定処理と、前記移動局と前記基地局装置との通信状態を測定する移動局通信状態測定処理と、前記移動局分布推定処理において推定した前記移動局の分布と前記移動局通信状態測定処理において測定した前記移動局と前記基地局装置との通信状態とに基づいて、前記第２のセルに分布する前記移動局を含む１台以上の前記移動局から構成される移動局群を特定する移動局群特定処理と、前記第１の周波数の送信ビームの指向性を制御して、前記移動局群特定処理において特定した前記移動局群に対する前記第１のセルのカバレッジを制御するカバレッジ制御処理と、を有する基地局制御プログラム。
【産業上の利用可能性】
【０１５１】
本発明の活用例は、移動通信において、異なる周波数のセルを有する複数種類の基地局が同じエリアに混在する環境下において実施されるものであり、移動局に対するセルのカバレッジを制御する技術として好適に適用することができる。特に、カバーできる周波数が少ない場所に位置する移動局が多い場合に、該移動局に対するキャリアの送信ビームの指向性を制御することにより、該移動局へのカバレッジを拡大し、スループットを改善させようとする用途に有効である。【０１５２】
以上、本発明の好適な実施の形態の構成を説明した。しかし、かかる実施の形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。【０１５３】
この出願は、２０１４年９月１２日に出願された日本出願特願２０１４−１８６７３６を基礎とする優先権を主張し、その開示の全てをここに取り込む。
【符号の説明】
【０１５４】
１      スモールセル基地局
１０    基地局無線送受信部
１１    移動局分布推定部
１２    移動局通信状態測定部
１３    移動局群特定部
１４    無線パラメータ制御部
１５    セル負荷測定部
２      移動局
２−１  移動局
２−２  移動局
２０    移動局無線送受信部
２１    チャネル品質測定部
２２    チャネル品質報告部
３      セル
３−１  セル
３−２  セル
【図１】
0006589872.tif 000002
【図２】
0006589872.tif 000003
【図３】
0006589872.tif 000004
【図４Ａ】
0006589872.tif 000005
【図４Ｂ】
0006589872.tif 000006
【図４Ｃ】
0006589872.tif 000007
【図５】
0006589872.tif 000008
【図６】
0006589872.tif 000009
【図７】
0006589872.tif 000010
【図８】
0006589872.tif 000011
【図９】
0006589872.tif 000012